(57)【要約】      （修正有）【課題】安全性がより高い電子設備及びパスワード保護方法を提供する。【解決手段】電子設備は、予定の形式でパスワード入力画面発生欄を有するログイン画面を表示する表示モジュール、入力モジュール及び制御モジュールを備える。前記制御モジュールは、ユーザーが前記入力モジュールで前記パスワード入力画面発生欄に入力したパスワード入力画面生成情報を獲得して、前記パスワード入力画面生成情報及び画面生成規則に基づいて、複数の入力エリアを備えるパスワード入力画面を生成して表示する。前記制御モジュールは、ユーザーが前記入力モジュールにより前記複数の入力エリアにキャラクタを入力する操作に応えて、入力エリアが受けたキャラクタを記録して、第一パスワード情報を生成する。前記制御モジュールは、キャラクタを受けた入力エリアのプロパティー情報を記録し、前記プロパティー情報に基づいて、第二パスワード情報を生成する。【選択図】図７
2011134306.tif 000002
【特許請求の範囲】
【請求項１】
予定の形式でログイン画面を表示する表示モジュール、入力モジュール及び制御モジュールを備える電子設備であって、
前記ログイン画面は、パスワード入力画面発生欄を有し、
前記制御モジュールは、ユーザーが前記入力モジュールを利用して前記パスワード入力画面発生欄に入力したパスワード入力画面生成情報を獲得し、前記パスワード入力画面生成情報及び予定の画面生成規則に基づいて、前記パスワード入力画面生成情報に対応する複数の入力エリアを備えるパスワード入力画面を生成して、前記表示モジュールを介して表示し、
さらに、前記制御モジュールは、ユーザーが前記入力モジュールを利用して前記複数の入力エリアにキャラクタを入力する操作に応えて、入力エリアが受けたキャラクタを記録して、第一パスワード情報を生成し、
さらに、前記制御モジュールは、キャラクタを受けた入力エリアのプロパティー情報を記録し、前記プロパティー情報に基づいて、第二パスワード情報を生成し、
さらに、前記制御モジュールは、前記第一パスワード情報及び前記第二パスワード情報と予め設定された認証パスワード情報とを比較して、入力されたパスワードに対して検証することを特徴とする電子設備。
【請求項２】
前記入力エリアのプロパティー情報は、入力エリアの識別符号を含み、前記第二パスワード情報は、前記入力エリアの識別符号のシーケンスを含むことを特徴とする請求項１に記載する電子設備。
【請求項３】
前記制御モジュールは、獲得したパスワード入力画面生成情報と予め設定された認証パスワード情報とを比較し、前記パスワード入力画面生成情報が予め設定された認証パスワード情報に完全にマッチングする場合、対応するパスワード入力画面を表示することを特徴とする請求項１に記載する電子設備。
【請求項４】
前記制御モジュールは、中央演算処理装置及びパスワード保護プログラムを格納するメモリーユニットを備え、
前記中央演算処理装置が前記パスワード保護プログラムを運行した後に、
ログインデータを生成し且つ前記ログインデータを前記表示モジュールに提供して、前記表示モジュールに対応するログイン画面を表示させるログイン画面生成ユニットと、
ユーザーが前記入力モジュールを利用して前記パスワード入力画面発生欄に入力したパスワード入力画面生成情報を獲得する獲得ユニットと、
前記獲得ユニットが獲得したパスワード入力画面生成情報及び予定の画面生成規則に基づいて、相応するパスワード入力画面データを生成し、前記パスワード入力画面データを前記表示モジュールに提供して、前記表示モジュールに対応するパスワード入力画面を表示させるパスワード入力画面生成ユニットと、
ユーザーが前記入力モジュールを利用して前記複数の入力エリアにキャラクタを入力する操作に応えて、前記入力エリアが受けたキャラクタを記録し、記録したキャラクタに基づいて、第一パスワード情報を生成する第一パスワード生成ユニットと、
キャラクタを受けた入力エリアのプロパティー情報を記録し、前記プロパティー情報に基づいて、第二パスワード情報を生成する第二パスワード生成ユニットと、
前記第一パスワード情報及び前記第二パスワード情報と予め設定された認証パスワード情報とを比較し、前記第一パスワード情報及び前記第二パスワード情報が前記予め設定された認証パスワード情報に完全にマッチングする場合、第一比較情報を出力し、前記第一パスワード情報及び前記第二パスワード情報が前記予め設定された認証パスワード情報に完全にマッチングしない場合、第二比較情報を出力する比較ユニットと、
前記比較ユニットが出力した第一比較情報に応えて、前記表示モジュールにパスワード認証パス画面データを出力して、前記表示モジュールに対応するパスワード認証パス画面を表示させる実行ユニットと、
前記比較ユニットが出力した第二比較情報に応えて、前記表示モジュールに誤り提示データを出力して、前記表示モジュールに対応する誤り提示情報を表示させる提示情報生成ユニットと、
を生成することを特徴とする請求項１に記載する電子設備。
【請求項５】
予定の形式でパスワード入力画面発生欄を有するログイン画面を表示するステップと、ユーザーがパスワード入力画面発生欄に入力したパスワード入力画面生成情報を獲得するステップと、
前記獲得したパスワード入力画面生成情報及び予定の画面生成規則に基づいて、前記パスワード入力画面生成情報に対応する複数の入力エリアを備えるパスワード入力画面を表示するステップと、
ユーザーの前記複数の入力エリアにキャラクタを入力する操作に応えて、前記入力エリアが受けたキャラクタを記録して、第一パスワード情報を生成するステップと、
キャラクタを受けた入力エリアのプロパティー情報を記録し、前記プロパティー情報に基づいて、第二パスワード情報を生成するステップと、
前記第一パスワード情報及び前記第二パスワード情報と予め設定された認証パスワード情報とを比較して、入力されたパスワードに対して検証するステップと、
を備えることを特徴とする電子設備のパスワード保護方法。
【請求項６】
前記入力エリアのプロパティー情報は、入力エリアの識別符号を含み、前記第二パスワード情報は、前記入力エリアの識別符号のシーケンスを含むことを特徴とする請求項５に記載する電子設備のパスワード保護方法。
【請求項７】
獲得したパスワード入力画面生成情報及び予定の画面生成規則に基づいて、対応するパスワード入力画面を表示する具体的なステップは、
前記パスワード入力画面生成情報と予め設定された認証パスワード情報とを比較するステップと、
前記パスワード入力画面生成情報が予め設定された認証パスワード情報にマッチングする場合、予定の画面生成規則に基づいて、予め設定され且つ前記パスワード入力画面生成情報に対応するパスワード入力画面を表示するステップと、
を備えることを特徴とする請求項５に記載する電子設備のパスワード保護方法。
【発明の詳細な説明】
【技術分野】
【０００１】
本発明は、情報安全分野に関し、特に電子設備及びそれに使用するパスワード保護方法に関わる。
【背景技術】
【０００２】
日常生活において、コンピューター、防犯ドア及びキャッシュカードなどは、全てパスワードにより、自体の機能を果す。通常、ユーザーは、数字及びキャラクタの組合せを自分のユーザー名（ＩＤ）及びパスワードとして使用する。しかし、数字及びキャラクタの組合せをパスワードとする場合、不法ユーザーは、悪意のあるソフトウェアなどで合法ユーザーがパスワード入力画面で入力したパスワードを獲得して、合法ユーザーの情報や財産などを盗む事件がよく発生している。
【発明の概要】
【発明が解決しようとする課題】
【０００３】
本発明は、前記の問題点に鑑みてなされたものであって、安全性がより高い電子設備及びそれに使用するパスワード保護方法を提供することを目的とする。
【課題を解決するための手段】
【０００４】
前記問題を解決するために、本発明に係る電子設備は、予定の形式でパスワード入力画面発生欄を有するログイン画面を表示する表示モジュール、入力モジュール及び制御モジュールを備える。前記制御モジュールは、ユーザーが前記入力モジュールを利用して前記パスワード入力画面発生欄に入力したパスワード入力画面生成情報を獲得して、前記パスワード入力画面生成情報及び予定の画面生成規則に基づいて、前記パスワード入力画面生成情報に対応する複数の入力エリアを備えるパスワード入力画面を生成して、前記表示モジュールを介して表示する。さらに、前記制御モジュールは、ユーザーが前記入力モジュールにより前記複数の入力エリアにキャラクタを入力する操作に応えて、入力エリアが受けたキャラクタを記録して、第一パスワード情報を生成する。さらに、前記制御モジュールは、キャラクタを受けた入力エリアのプロパティー情報を記録して、前記プロパティー情報に基づいて、第二パスワード情報を生成する。さらに、前記制御モジュールは、前記第一パスワード情報及び前記第二パスワード情報と予め設定された認証パスワード情報とを比較して、入力されたパスワードに対して検証する。
【０００５】
また、本発明に係るパスワード保護方法は、予定の形式でパスワード入力画面発生欄を有するログイン画面を表示するステップと、ユーザーがパスワード入力画面発生欄に入力したパスワード入力画面生成情報を獲得するステップと、前記獲得したパスワード入力画面生成情報及び予定の画面生成規則に基づいて、前記パスワード入力画面生成情報に対応する複数の入力エリアを備えるパスワード入力画面を表示するステップと、ユーザーの前記複数の入力エリアにキャラクタを入力する操作に応えて、前記入力エリアが受けたキャラクタを記録して、第一パスワード情報を生成するステップと、キャラクタを受けた入力エリアのプロパティー情報を記録し、前記プロパティー情報に基づいて第二パスワード情報を生成するステップと、前記第一パスワード情報及び前記第二パスワード情報と予め設定された認証パスワード情報とを比較して、入力されたパスワードに対して検証するステップと、を備える。
【発明の効果】
【０００６】
従来の技術に比べて、本発明の電子設備及びパスワード保護方法において、ユーザーが第一パスワードを入力する時に、前記電子設備はパスワード入力画面中のパスワードを受けた入力エリアのプロパティー情報を記録して、第二パスワードを生成する。その後、前記電子設備は、前記第一パスワード及び前記第二パスワードと前記予め設定された認証パスワード情報とを比較して、パスワード検証を完成する。これにより、不法ユーザーは悪意のあるソフトウェアで、合法ユーザーに入力された第一パスワードだけを獲得し、前記電子設備が生成した第二パスワードを獲得することができない。合法ユーザーのログインパスワードは、第一パスワード及び第二パスワードから構成されるので、不法ユーザーは前記獲得した第一パスワードだけで、合法ユーザーの権能を得られない。このようにして、合法ユーザーの情報安全は確保される。
【図面の簡単な説明】
【０００７】
【図１】本発明に係る電子設備の機能ブロック図である。
【図２】図１に示した電子設備のログイン画面を示す図である。
【図３】図１に示した電子設備のパスワード入力画面を示す図である。
【図４】ユーザーが図３のパスワード入力画面にパスワードを入力した後の状況を示す図である。
【図５】図１に示した制御モジュールのブロック図である。
【図６】図５に示した中央演算処理装置がパスワード保護プログラムを運行した後に生じた機能ブロック図である。
【図７】本発明に係るパスワード保護方法のフローチャートである。
【発明を実施するための形態】
【０００８】
図１に示されたように、本発明の電子設備１０は、表示モジュール１１、入力モジュール１２及び制御モジュール１３を備える。前記電子設備１０は、個人用携帯情報端末（ＰＤＡ）、パソコン及び卓上式コンピューターなどであることが可能である。
【０００９】
前記表示モジュール１１は、予定のログイン画面を表示する。例えば、図２に示す如く、前記表示モジュール１１は、ログイン画面５０を表示し、前記ログイン画面５０は、ユーザー名欄５１、パスワード入力画面発生欄５２及び確定ボタン５３を含む。
【００１０】
前記入力モジュール１２は、ユーザーの入力操作に応えて、入力情報を生み出す。例えば、前記入力モジュール１２は、キーボード、タッチパネル或いはマウスなどであることが可能である。
【００１１】
前記制御モジュール１３は、ユーザーが前記入力モジュール１２によりパスワード入力画面発生欄５２に入力したパスワード入力画面生成情報を獲得してから、前記パスワード入力画面生成情報及び予定の画面生成規則に基づいて、対応するパスワード入力画面を生成して、前記表示モジュール１１を介して表示する。前記パスワード入力画面は、前記パスワード入力画面生成情報に対応する複数の入力エリアを備える。さらに、前記制御モジュール１３は、ユーザーが前記入力モジュール１２により前記複数の入力エリアにキャラクタを入力する操作に応えて、入力エリアが受けたキャラクタを記録して、第一パスワード情報を生み出す。さらに、前記制御モジュール１３は、キャラクタを受けた入力エリアのプロパティー情報を記録して、前記プロパティー情報に基づいて第二パスワード情報を生み出す。さらに、前記制御モジュール１３は、前記第一パスワード情報及び前記第二パスワード情報と、予め設定された認証パスワード情報１３４とを比較して、入力されたパスワードに対して検証する。前記パスワード入力画面生成情報は、キャラクタである。例えば、本実施形態において、前記パスワード入力画面生成情報が数字であれば、前記画面生成規則は、前記数字に基づいて数字に対応する入力エリアを生成することである。例えば、他の実施形態において、前記パスワード入力画面生成情報がアルファベット文字であれば、前記画面生成規則は、前記アルファベット文字に基づいて前記アルファベット文字に対応する予定の入力エリアを表示する。前記予め設定された認証パスワード情報１３４は、２つの部分を含む。１つは、ユーザーがパスワード登記段階で入力したパスワード情報である。もう１つは、前記電子設備１０はユーザーがパスワード登記段階おけるパスワード情報に基づいて生成するパスワード情報である。
【００１２】
例えば、図３及び図４を参照すると、ユーザーが前記パスワード入力画面発生欄５２に入力したパスワード入力画面生成情報が数字「８」であると、前記制御モジュール１３は、数字「８」を獲得し、前記数字「８」及び予定の画面生成規則に基づいて対応するパスワード入力画面６０を表示する。前記パスワード入力画面６０は、確定ボタン６１、入力エリア６０１、入力エリア６０２、入力エリア６０３、入力エリア６０４、入力エリア６０５、入力エリア６０６、入力エリア６０７及び入力エリア６０８を備える。各々の入力エリアは、他の入力エリアと区別する識別符号及び入力エリアのサイズなどのプロパティー情報を有する。例えば、前記入力エリア６０１〜６０８に対応して配属された識別符号は、１、２、３、４、５、６、７、８である。ユーザーがキーボードを利用して前記パスワード入力画面６０中の入力エリア６０１〜６０８にパスワード情報を入力し、例えば、前記入力エリア６０１、前記入力エリア６０３、前記入力エリア６０４、前記入力エリア６０６及び前記入力エリア６０８にそれぞれ対応して「Ａ」、「Ｂ」、「Ｃ」、「Ｄ」、「Ｅ」を入力する。この際、前記制御モジュール１３は、上記入力エリア６０１、入力エリア６０３、入力エリア６０４、入力エリア６０６及び入力エリア６０８に入力されたキャラクタを順次に記録して、第一パスワード「ＡＢＣＤＥ」を形成すると共に、前記入力エリア６０１、前記入力エリア６０３、前記入力エリア６０４、前記入力エリア６０６及び前記入力エリア６０８の識別符号を順次に記録して、第二パスワード「１３４６８」を形成する。さらに、前記制御モジュール１３は、前記第一パスワード「ＡＢＣＤＥ」及び前記第二パスワード「１３４６８」を、予め設定された認証パスワード情報１３４と比較して、入力されたパスワードに対して検証する。
【００１３】
なお、前記入力エリア６０１、前記入力エリア６０３、前記入力エリア６０４、前記入力エリア６０６及び前記入力エリア６０８の識別符号の記録順序も、ユーザーがキャラクタを入力する順序に応じて記録することができる。例えば、ユーザーが前記入力エリア６０８、前記入力エリア６０６、前記入力エリア６０３、前記入力エリア６０４及び前記入力エリア６０１にそれぞれ対応して順次にＡ、Ｂ、Ｃ、Ｄ、Ｅを入力すると、前記制御モジュール１３はユーザーが入力したキャラクタを順次に記録して、第一パスワード「ＡＢＣＤＥ」を形成し、ユーザーがキャラクタを入力する順序に基づいて、前記入力エリア６０８、前記入力エリア６０６、前記入力エリア６０３、前記入力エリア６０４及び前記入力エリア６０１の識別符号を記録して、第二パスワード「８６４３１」を形成する。変更例として、各々の入力エリアの異なるサイズを第二パスワード情報にしてもよい。
【００１４】
さらに、図５及び図６に示したように、前記制御モジュール１３は、中央演算処理装置（ＣＰＵ）１３０及びメモリーユニット１３１を備える。前記メモリーユニット１３１は、操作システムプログラム１３２、パスワード保護プログラム１３３及び認証パスワード情報１３４を格納する。前記操作システムプログラム１３２が運行している前記中央演算処理装置１３０は、前記表示モジュール１１及び入力モジュール１２をコントロールして、対応する表示機能及び入力機能を実行する。また、前記パスワード保護プログラム１３３が運行している前記中央演算処理装置１３０は、ユーザーの登記操作に応えてパスワード設置機能を実行すると共に、ユーザーのログイン操作に応えてパスワード検証機能を実行する。しかも、前記中央演算処理装置１３０が前記パスワード保護プログラム１３３を運行した後に、以下の八つの機能ユニットを生成する。
【００１５】
即ち、ログインデータを生成し且つ前記ログインデータを前記表示モジュール１１に提供して、前記表示モジュール１１に対応するログイン画面５０を表示させるログイン画面生成ユニット３００を生成する。前記ログイン画面は、パスワード入力画面発生欄５２を有する。
【００１６】
ユーザーが入力モジュール１２を利用して前記パスワード入力画面発生欄５２に入力したパスワード入力画面生成情報を獲得する獲得ユニット３０１を生成する。
【００１７】
前記獲得ユニット３０１が獲得したパスワード入力画面生成情報及び予定の画面生成規則に基づいて、相応するパスワード入力画面データを生成し、前記パスワード入力画面データを前記表示モジュール１１に提供して、前記表示モジュール１１に、対応するパスワード入力画面６０を表示させるパスワード入力画面生成ユニット３０２を生成する。前記パスワード入力画面６０は、前記パスワード入力画面生成情報に対応する複数の入力エリアを備える。
【００１８】
ユーザーが前記入力モジュール１２を利用して前記複数の入力エリアにキャラクタを入力する操作に応えて、前記入力エリアが受けたキャラクタを記録して、前記記録したキャラクタに基づいて第一パスワード情報を生成する第一パスワード生成ユニット３０３を生成する。
【００１９】
前記キャラクタを受けた入力エリアのプロパティー情報を記録し、前記プロパティー情報に基づいて第二パスワード情報を生成する第二パスワード生成ユニット３０４を生成する。
【００２０】
前記第一パスワード情報及び前記第二パスワード情報と予め設定された認証パスワード情報１３４とを比較して、前記第一パスワード情報及び前記第二パスワード情報は全て前記予め設定された認証パスワード情報１３４にマッチングする場合、第一比較情報を出力し、前記第一パスワード情報及び前記第二パスワード情報は全て前記予め設定された認証パスワード情報１３４にマッチングしない場合、第二比較情報を出力する比較ユニット３０５を生成する。
【００２１】
前記比較ユニット３０５が出力した第一比較情報に応えて、前記表示モジュール１１にパスワード認証パス画面データを出力して、前記表示モジュール１１に対応するパスワード認証パス画面を表示させる実行ユニット３０６を生成する。
【００２２】
前記比較ユニット３０５が出力した第二比較情報に応えて、前記表示モジュール１１に誤り提示データを出力して、前記表示モジュール１１に対応する誤り提示情報を表示させる提示情報生成ユニット３０７を生成する。
【００２３】
なお、他の実施形態において、パスワード入力画面生成情報を第三パスワード情報として、ユーザーが正しいパスワード入力画面生成情報を入力する場合だけに、前記電子設備１０は、対応するパスワード入力画面を表示することができる。それ相応に、前記予め設定された認証パスワード情報１３４は、ユーザーがパスワード登記段階で入力したパスワード入力画面生成情報である第三パスワード情報をさらに備える。例えば、前記制御モジュール１３は、獲得したパスワード入力画面生成情報が予め設定された認証パスワード情報１３４の中に存在するかどうかを判断し、前記パスワード入力画面生成情報が前記予め設定された認証パスワード情報１３４の中に存在する場合、予定の画面生成規則に基づいて、予め設定され且つ前記パスワード入力画面生成情報に対応するパスワード入力画面を表示する。
【００２４】
図７に示したように、本発明の実施形態に係る前記電子設備１０パスワード保護方法は、以下のようなステップを備える。
【００２５】
ステップＳ４００では、ユーザーがパスワード設置画面で設置した認証パスワード情報を格納する。前記予め設定された認証パスワード情報は、２つの部分のパスワード情報を備える。第一部分のパスワード情報は、ユーザーがパスワード登記段階で入力したパスワード情報である。第二部分のパスワード情報は、前記電子設備１０がユーザーによってパスワード登記段階で入力されたパスワード情報に基づいて生成されるパスワード情報である。さらに、前記予め設定された認証パスワード情報は、ユーザーがパスワード登記段階で入力したパスワード入力画面生成情報である第三部分のパスワード情報を備える。
【００２６】
ステップＳ４０２では、予定の形式でパスワード入力画面発生欄を有するログイン画面を表示する。
【００２７】
ステップＳ４０４では、ユーザーがパスワード入力画面発生欄に入力したパスワード入力画面生成情報を獲得する。
【００２８】
ステップＳ４０６では、前記獲得したパスワード入力画面生成情報及び予定の画面生成規則に基づいて、対応するパスワード入力画面を表示する。具体的に説明すると、前記パスワード入力画面生成情報が予め設定された認証パスワード情報にマッチングするかどうかを判断する。前記パスワード入力画面生成情報が予め設定された認証パスワード情報に完全にマッチングした場合、予定の画面生成規則に基づいて、予め設定され且つ前記パスワード入力画面生成情報に対応するパスワード入力画面を表示する。前記パスワード入力画面は、前記パスワード入力画面生成情報に対応する複数の入力エリアを備える。
【００２９】
ステップＳ４０８では、ユーザーの前記複数の入力エリアにキャラクタを入力する操作に応えて、前記入力エリアが受けたキャラクタを記録して、第一パスワード情報を生成する。
【００３０】
ステップＳ４１０では、キャラクタを受けた入力エリアのプロパティー情報を記録し、前記プロパティー情報に基づいて、第二パスワード情報を生成する。
【００３１】
ステップＳ４１２では、ユーザーの確定操作に応えて、前記第一パスワード情報及び前記第二パスワード情報が予め設定された認証パスワード情報にマッチングするかどうかを比較する。もし、前記第一パスワード情報及び前記第二パスワード情報が前記予め設定された認証パスワード情報に完全にマッチングすれば、ステップＳ４１４を実行する。もし、前記第一パスワード情報及び前記第二パスワード情報が前記予め設定された認証パスワード情報にマッチングしなければ、ステップＳ４１６を実行する。
【００３２】
ステップＳ４１４では、パスワード認証パス画面を表示する。従って、ユーザーは前記電子設備に対していろいろな操作を行うことができる。
【００３３】
ステップＳ４１６では、パスワード誤り提示情報を表示する。
【００３４】
本発明の電子設備１０及びパスワード保護方法によれば、ユーザーが第一パスワードを入力する時に、前記電子設備１０は、パスワード入力画面６０中のパスワードを受けた入力エリアのプロパティー情報を記録して、第二パスワードを生成する。その後、前記電子設備１０は、前記第一パスワード及び前記第二パスワードと前記予め設定された認証パスワード情報１３４とを比較して、入力されたパスワードに対する検証を完成する。これにより、不法ユーザーは悪意のあるソフトウェアで、合法ユーザーが入力した第一パスワードだけを獲得し、前記電子設備１０が生成した第二パスワードを獲得することができない。合法ユーザーのログインパスワードは、第一パスワード及び第二パスワードから構成されるので、不法ユーザーは、前記獲得した第一パスワードだけで、合法ユーザーの権能を得られない。このようにして、合法ユーザーの情報安全は確保される。
【００３５】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのはいうまでもない。
【符号の説明】
【００３６】
１０        電子設備
１１        表示モジュール
１２        入力モジュール
１３        制御モジュール
５０        ログイン画面
５１        ユーザー名欄
５２        パスワード入力画面発生欄
５３        確定ボタン
６０        パスワード入力画面
６１        確定ボタン
１３０      中央演算処理装置
１３１      メモリーユニット
１３２      操作システムプログラム
１３３      パスワード保護プログラム
１３４      認証パスワード情報
３００      ログイン画面生成ユニット
３０１      獲得ユニット
３０２      パスワード入力画面生成ユニット
３０３      第一パスワード生成ユニット
３０４      第二パスワード生成ユニット
３０５      比較ユニット
３０６      実行ユニット
３０７      提示情報生成ユニット
６０１〜６０８        入力エリア
【図１】
2011134306.tif 000003
【図２】
2011134306.tif 000004
【図３】
2011134306.tif 000005
【図４】
2011134306.tif 000006
【図５】
2011134306.tif 000007
【図６】
2011134306.tif 000008
【図７】
2011134306.tif 000009